【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
一対の電極間に、発光層を含む有機化合物層を有する有機電界発光素子であって、下記一般式(Ｉ)で表される化合物を有機化合物層に含有することを特徴とする有機電界発光素子。
【化１】
2009260276.tif 000001
（一般式(Ｉ)中、A1〜A8はN原子またはC-R1を表し、R1は水素原子または置換基を表す。複数のR1は同一でも異なっていてもよい。X1はS原子またはO原子を表す。mは2以上の整数を表す。Lは単結合またはｍ価の連結基を表し、A1〜A8中のC原子と連結する。Lが芳香族炭化水素環または芳香族へテロ環である場合、環の大きさは５員環または６員環である。）
【請求項２】
一般式(Ｉ)で表される化合物が下記一般式(ＩＩ)で表されることを特徴とする請求項１に記載の有機電界発光素子。
【化２】
2009260276.tif 000002
(一般式（ＩＩ）中、A1〜A8はN原子またはC-R1を表し、R1は水素原子または置換基を表す。複数のR1は同一でも異なっていてもよい。X1はS原子またはO原子を表す。R21は水素原子または置換基を表す。複数のR21は同一でも異なっていてもよい。m’は２〜４の整数を表す。ケイ素連結基は、A1〜A8中のC原子と連結する。)
【請求項３】
一般式(Ｉ)で表される化合物が下記一般式(ＩＩＩ)で表されることを特徴とする請求項１に記載の有機電界発光素子。
【化３】
2009260276.tif 000003
(一般式（ＩＩＩ）中、A1〜A8はN原子またはC-R1を表し、R1は水素原子または置換基を表す。複数のR1は同一でも異なっていてもよい。X1はS原子またはO原子を表す。Ar31は芳香族炭化水素環または芳香族ヘテロ環を表し、環の大きさは５員環または６員環である。Ar31はA1〜A8中のC原子と連結する。R31は水素原子または置換基を表す。複数のR31は同一でも異なっていてもよい。mは2以上の整数を表す。ｎは０以上の整数を表す。)
【請求項４】
前記発光層に燐光発光材料を含有することを特徴とする請求項１〜３のいずれか一項に記載の有機電界発光素子。
【請求項５】
前記燐光発光材料がイリジウム錯体または白金錯体であることを特徴とする請求項４に記載の有機電界発光素子。
【請求項６】
前記一般式（Ｉ）〜（ＩＩＩ）で表される化合物を、発光層に含有することを特徴とする請求項１〜５のいずれか一項に記載の有機電界発光素子。
【請求項７】
前記発光層と陽極の間に正孔輸送層を有し、前記一般式（Ｉ）〜（ＩＩＩ）で表される化合物を、正孔輸送層に含有することを特徴とする請求項１〜６のいずれか一項に記載の有機電界発光素子。
【請求項８】
前記発光層と陰極の間に電子輸送層を有し、一般式（Ｉ）〜（ＩＩＩ）で表される化合物を、電子輸送層に含有することを特徴とする請求項１〜６のいずれか一項に記載の有機電界発光素子。
【請求項９】
一般式(Ｉ)で表される有機電界発光素子用材料
【化４】
2009260276.tif 000004
（一般式(Ｉ)中、A1〜A8はN原子またはC-R1を表し、R1は水素原子または置換基を表す。複数のR1は同一でも異なっていてもよい。X1はS原子またはO原子を表す。mは2以上の整数を表す。Lは単結合またはｍ価の連結基を表し、A1〜A8中のC原子と連結する。Lが芳香族炭化水素環または芳香族へテロ環である場合、環の大きさは５員環または６員環である。）
【手続補正２】
【補正対象書類名】明細書
【補正対象項目名】０００８
【補正方法】変更
【補正の内容】
【０００８】
本発明者らは、上記課題を解決すべく検討した結果、チアントレン構造又はフェノキサチイン構造を２量体以上有する化合物を有機化合物層に添加することにより、有機ＥＬ素子の効率が向上し、駆動電圧を低下させることを見出し、本発明に至った。すなわち、上記課題は下記の手段により解決することができた。
〔１〕
一対の電極間に、発光層を含む有機化合物層を有する有機電界発光素子であって、下記一般式(Ｉ)で表される化合物を有機化合物層に含有することを特徴とする有機電界発光素子。
【化１０１】
2009260276.tif 000005
（一般式(Ｉ)中、A1〜A8はN原子またはC-R1を表し、R1は水素原子または置換基を表す。複数のR1は同一でも異なっていてもよい。X1はS原子またはO原子を表す。mは2以上の整数を表す。Lは単結合またはｍ価の連結基を表し、A1〜A8中のC原子と連結する。Lが芳香族炭化水素環または芳香族へテロ環である場合、環の大きさは５員環または６員環である。）
〔２〕
一般式(Ｉ)で表される化合物が下記一般式(ＩＩ)で表されることを特徴とする〔１〕に記載の有機電界発光素子。
【化１０２】
2009260276.tif 000006
(一般式（ＩＩ）中、A1〜A8はN原子またはC-R1を表し、R1は水素原子または置換基を表す。複数のR1は同一でも異なっていてもよい。X1はS原子またはO原子を表す。R21は水素原子または置換基を表す。複数のR21は同一でも異なっていてもよい。m’は２〜４の整数を表す。ケイ素連結基は、A1〜A8中のC原子と連結する。)
〔３〕
一般式(Ｉ)で表される化合物が下記一般式(ＩＩＩ)で表されることを特徴とする〔１〕に記載の有機電界発光素子。
【化１０３】
2009260276.tif 000007
(一般式（ＩＩＩ）中、A1〜A8はN原子またはC-R1を表し、R1は水素原子または置換基を表す。複数のR1は同一でも異なっていてもよい。X1はS原子またはO原子を表す。Ar31は芳香族炭化水素環または芳香族ヘテロ環を表し、環の大きさは５員環または６員環である。Ar31はA1〜A8中のC原子と連結する。R31は水素原子または置換基を表す。複数のR31は同一でも異なっていてもよい。mは2以上の整数を表す。ｎは０以上の整数を表す。)
〔４〕
前記発光層に燐光発光材料を含有することを特徴とする〔１〕〜〔３〕のいずれか一項に記載の有機電界発光素子。
〔５〕
前記燐光発光材料がイリジウム錯体または白金錯体であることを特徴とする〔４〕に記載の有機電界発光素子。
〔６〕
前記一般式（Ｉ）〜（ＩＩＩ）で表される化合物を、発光層に含有することを特徴とする〔１〕〜〔５〕のいずれか一項に記載の有機電界発光素子。
〔７〕
前記発光層と陽極の間に正孔輸送層を有し、前記一般式（Ｉ）〜（ＩＩＩ）で表される化合物を、正孔輸送層に含有することを特徴とする〔１〕〜〔６〕のいずれか一項に記載の有機電界発光素子。
〔８〕
前記発光層と陰極の間に電子輸送層を有し、一般式（Ｉ）〜（ＩＩＩ）で表される化合物を、電子輸送層に含有することを特徴とする〔１〕〜〔６〕のいずれか一項に記載の有機電界発光素子。
〔９〕
一般式(Ｉ)で表される有機電界発光素子用材料
【化１０４】
2009260276.tif 000008
（一般式(Ｉ)中、A1〜A8はN原子またはC-R1を表し、R1は水素原子または置換基を表す。複数のR1は同一でも異なっていてもよい。X1はS原子またはO原子を表す。mは2以上の整数を表す。Lは単結合またはｍ価の連結基を表し、A1〜A8中のC原子と連結する。Lが芳香族炭化水素環または芳香族へテロ環である場合、環の大きさは５員環または６員環である。）
本発明は上記の〔１〕〜〔９〕に関するものであるが、その他の事項についても記載した。